(57)【要約】【課題】  通常時は防災用品等を収納する倉庫として広いスペースを活用できると共に、非常時での利用の迅速性、簡易性を重視した防災用収納箱を提供することを目的とする。【解決手段】  前記防災用収納箱１は防災用品（図示せず）等を収納可能な建物であって、その内部に倉庫スペース１０とこの倉庫スペース１０の下に収納スペース１１を備えている。前記収納スペース１１は、その上方のカバーとなり且つ一辺を中心に回転起立されることによって前記倉庫スペース１０を間仕切り可能な床面３と、この床面３に収容され、且つ、回転起立された前記床面３の上方の倉庫スペース１０をさらに仕切ることができるスライド板４を備えている。よって収納スペース１１に例えば便器５が設置されていれば、迅速、簡易に、独立したトイレブースが形成されることになり、男女を問わずにプライバシーが保護されて使い勝手がよい小部屋２を備えた収納箱１を提供することができる。【選択図】        図９
2010112018.tif 000002
【特許請求の範囲】
【請求項１】
内部に倉庫スペースとその下に少なくとも１つ収納スペースを備える防災用収納箱において、
前記収納スペースは、その上方のカバーとなり、且つ、一辺を中心に回転起立されることによって前記倉庫スペースを間仕切り可能な床面と、この床面に収容され、且つ、回転起立された前記床面の上方の倉庫スペースをさらに仕切ることができるスライド板を備えたことを特徴とする防災用収納箱。
【請求項２】
内部に倉庫スペースとその下に少なくとも１つ収納スペースを備える防災用収納箱において、
前記収納スペースは、その上方のカバーとなり、且つ、一辺を中心に回転起立されることによって前記倉庫スペースを間仕切り可能な床面を備えたことを特徴とする防災用収納箱。
【請求項３】
内部に倉庫スペースとその下に少なくとも１つ収納スペースを備える防災用収納箱において、
収納箱の四周壁の一面に開口部を備える共に、他の一面に前記開口部より大きい開口部を備えたことを特徴とする防災用収納箱。
【請求項４】
前記床面は、前記一辺に沿って、複数枚に分割されていることを特徴とする請求項１又は２に記載の防災用収納箱。
【請求項５】
前記床面には、起立保持部が備わっていることを特徴とする請求項１、２又は４の何れかに記載の防災用収納箱。
【請求項６】
前記床面から引き出されたスライド板を保持させる保持部が備わっていることを特徴とする請求項１、４又は５の何れかに記載の防災用収納箱。
【請求項７】
前記保持部によって保持されているスライド板に対し、そのスライド板を保持させる第２の保持部が備わっていることを特徴とする請求項６に記載の防災用収納箱。
【請求項８】
隣接する前記スライド板間には、目隠部が備わっていることを特徴とする１、４、５、６又は７の何れかに記載の防災用収納箱。
【請求項９】
前記床面は、巻上機により起立可能に構成されていることを特徴とする請求項１、２、４、５、６、７又は８の何れかに記載の防災用収納箱。
【請求項１０】
前記収納スペースには便器が収納されていることを特徴とする請求項１乃至９の何れかに記載の防災用収納箱。
【発明の詳細な説明】
【技術分野】
【０００１】
本発明は、防災用品等を備蓄することができる防災用収納箱に関する。
【背景技術】
【０００２】
１９９５年に起きた阪神・淡路大震災は、都市のライフライン等に甚大な被害を与えたが、その中で罹災者を苦しめたトラブルにトイレ問題を始めとする生活衛生面の問題があった。
トイレの個数不足に対しては、非特許文献１のような、建設現場等に設置される仮設トイレを多数、被災地に投入することで解消させることができる。
しかし、このような仮設トイレは、機能本位な構成、外観であって、女性には敬遠される恐れがあった。
【０００３】
一方、特許文献１では、物置、物置用トイレキットに関し、たとえば災害時等に有効に機能する物置、物置用トイレキットが開示されている。
これは平常時および非常時のいずれにおいても設置スペースを有効に活用することが可能な物置を提供することにあるとされ、物置等の建物床下空間のデッドスペースの有効利用に着目したものであった。
【非特許文献１】旭ハウス工業株式会社  取扱商品  ＡＵトイレ  ２００８年１０月３０日検索  インターネット  ＜ＵＲＬ  ｈｔｔｐ：／／ｗｗｗ．ａｓａｈｉ−ｏｕｓｅ．ｃｏｍ／ｉｔｅｍ／ａｕ．ｈｔｍｌ＞
【特許文献１】特開２００８−２２１４
【発明の開示】
【発明が解決しようとする課題】
【０００４】
しかし、かかる物置、物置用トイレキットにおいては、複数個のトイレを同時に使用させる建物の構成に関しては、倉庫スペースが複数の小型収納室に細分化されており、倉庫の容積性に問題があった。また、非常時には「大便器１５１、小便器１５２等を取り出し、床パネル１５６、床パネル１５７を外して便槽蓋１５３、便槽蓋１５４の便器用開口部１５３ａ、便器用開口部１５４ａに設置して物置１００を簡易トイレとして利用する」旨、記載されており、被災地の混乱の中での迅速なトイレの設置に不安があった。
さらに、デッドスペースの利用方法としてはトイレの利用に限定されていた。
【０００５】
そこで、本願発明は、通常時は防災用品等を収納する倉庫として広いスペースを活用できると共に、非常時での利用の迅速性、簡易性を重視した防災用収納箱を提供することを目的とする。
【課題を解決するための手段】
【０００６】
上記課題を解決するため、本願発明は、内部に倉庫スペースとその下に少なくとも１つ収納スペースを備える防災用収納箱において、前記収納スペースは、その上方のカバーとなり、且つ、一辺を中心に回転起立されることによって前記倉庫スペースを間仕切り可能な床面と、この床面に収容され、且つ、回転起立された前記床面の上方の倉庫スペースをさらに仕切ることができるスライド板を備えたことを特徴とする防災用収納箱とした（請求項１の発明）。
【０００７】
本発明においては、収納スペースをカバーしている床面を、その一辺を中心に回転起立させることで、前記収納スペースを倉庫スペースに臨ませると共に、前記床面と、この床面に収容され、且つ、回転起立された前記床面の上方の倉庫スペースをさらに仕切ることができるスライド板により、前記倉庫スペースを収納スペース毎に区間可能な小部屋を形成することができる。
よって、小部屋の形成作業が簡単となっていて、その利用の迅速性、簡易性を重視した防災用収納箱を提供することができる。
【０００８】
上記課題を解決するため、本願発明は内部に倉庫スペースとその下に少なくとも１つ収納スペースを備える防災用収納箱において、前記収納スペースは、その上方のカバーとなり、且つ、一辺を中心に回転起立されることによって前記倉庫スペースを間仕切り可能な床面を備えたことを特徴とする防災用収納箱とした（請求項２の発明）。
床面を回転起立させるのみで、前記倉庫スペースを間仕切り可能な場合においても、上記作用効果が発揮される。
【０００９】
上記課題を解決するため、本願発明は内部に倉庫スペースとその下に少なくとも１つ収納スペースを備える防災用収納箱において、収納箱の四周壁の一面に開口部を備える共に、他の一面に前記開口部より大きい開口部を備えたことを特徴とする防災用収納箱とした（請求項３の発明）。
例えば、大きな開口部を倉庫スペースに臨ませることにより、大型の防災用設備、機械、その他の防災用品等の搬出、搬入の作業効率を向上させることができる。
【００１０】
上記床面は、その回転起立の中心となる一辺に沿って、複数枚に分割されていることを特徴とする防災用収納箱とした（請求項４の発明）。
床面を複数枚に分割することによって床面の重量を分散させることができ、床面の回転起立の作業が容易となる。
【００１１】
上記床面には、起立保持部が備わっていることを特徴とする防災用収納箱とした（請求項５の発明）。また、上記床面から引き出されたスライド板を保持させる保持部が備わっていることを特徴とする防災用収納箱とした（請求項６の発明）。
【００１２】
さらに、上記保持部によって保持されているスライド板に対し、そのスライド板を保持させる第２の保持部が備わっていることを特徴とする防災用収納箱とした（請求項７の発明）。
上記保持部の保持機能が解除されたとしても、第２の保持部がスライド板を保持することで、小部屋のブラバシーを確保することができる。
【００１３】
上記隣接するスライド板間には、目隠部が備わっていることを特徴とする防災用収納箱とした（請求項８の発明）。
スライド板間に隙間が形成されていても、目隠部があることで小部屋のブラバシーを保持することができる。
【００１４】
上記床面は、巻上機により起立可能に構成されていることを特徴とする防災用収納箱とした（請求項９の発明）。
床面の回転起立の作業が容易になっている。
【００１５】
する防災用収納箱
上記収納スペースには便器が収納されていることを特徴とした（請求項１０の発明）。
前記収納スペースには便器等が設置可能であればよく、また便器等のセットが収容されていてもよく、さらに便器等が設置されていて、直ちに使用できる状態でもよい。なお、収納スペースに収容される対象物は、便器に限定されるものではなく、収納スペースの設置物に応じて多用途に利用することができる収納箱となっている。
【発明の効果】
【００１６】
本発明によれば、小部屋の形成過程が簡単となっていて、その利用の迅速性、簡易性を重視した防災用収納箱を提供することができる。
また、通常時は防災用品等を収納する倉庫として倉庫スペース及び収納スペースを活用できる。
また、非常時は防災用品等を搬出した後に形成される小部屋を多用途に利用することができる。
さらに小部屋によりプライバシーの保護が確保されて男女を問わずに使い勝手がよい構成となっている。
【発明を実施するための最良の形態】
【００１７】
本発明に係る防災用収納箱の実施形態を図面に基いて説明する。
図１乃至図４は実施形態に係る防災用収納箱の外観正面図、同外観背面図、同左右側面図、図５乃至図７は同防災用収納箱の通常時の実施形態を示す水平断面図、同正面視縦断面図、同側面視縦断面図、図８乃至図１０は同防災用収納箱の非常時の実施形態を示す水平断面図、同正面視縦断面図、同側面視縦断面図である。
これらの各図及び後述の各図において、同一の構成は同一の符号を付して重複した説明を省略する。
【００１８】
防災用収納箱１（以下、収納箱１とも称する）は、図１〜図７に示したように防災用品（図示せず）等を収納可能な建物であって、その内部に倉庫スペース１０とこの倉庫スペース１０の下に収納スペース１１を備えている。
【００１９】
前記収納スペース１１は、図６及び図９のように、その上方のカバーとなり、且つ、一辺３０を中心に回転起立されることによって前記倉庫スペース１０を間仕切り可能な床面３と、この床面３に収容され、且つ、回転起立された前記床面３の上方の倉庫スペース１０をさらに仕切ることができるスライド板４を備えている。
【００２０】
よって、通常時には倉庫スペース１０が防災用品等を収納する倉庫として活用される。
一方、地震等の災害発生の非常時には倉庫スペース１０から防災用品等が搬出された後に、前記床面３をその一辺を中心にして回転起立させることで前記収納スペース１１を倉庫スペース１０に臨ませると共に、前記床面３と、スライド板４により、前記倉庫スペース１０を収納スペース１１毎に区間可能としている。
収納スペース１１に例えば便器５が設置されていれば、迅速、簡易に、独立したトイレブースが形成されることになり、男女を問わずにプライバシーが保護されて使い勝手がよい小部屋２を備えた収納箱１を提供することができる。
【００２１】
前記防災用品は、例えば、炊飯用具、飲料水、保存食料、燃料、ストーブ、簡易トイレ、シート、毛布等の防寒品、ポリタンク、発電機、救急用品等であって、災害時に罹災者の生活に必要な物である。
その他、前記収納箱１の設置場所に応じて、収納対象は変わってくる。例えば、設置場所が公園内であれば、公園の管理に必要な物品が含まれる。また、設置場所が公的な会館等であれば、会館の器具備品等が含まれる。
【００２２】
前記収納箱１は、主として動産的に組立可能なもの、移築可能なものであって、例えばユニットハウス、仮設ハウス、倉庫、多目的ハウス等と称され、物等を収納できる建物である。また、ユニット建物のように規格化され、連設されるようなものも含まる。
【００２３】
前記収納箱１は、図１乃至図４のように四周壁（外壁）１２、屋根１３、床１４からなり、四周壁１２の一面には、倉庫スペース１０及び収納スペース１１への出入り口となる開口部としてのドア１５を備える共に、図３のように、他の一面となる左側面には、前記ドア１５より大きい開口部１７を備えている。
前記開口部１７には、シャッター１８が備えられていて、倉庫スペース１０への大型の防災機器、防災用品等の搬入、搬出の作業効率を向上させることができる。
その他、外壁１２には換気扇１６が、屋根１３には太陽電池パネル（図示せず）がそれぞれ取付可能となっている。
前記収納箱１の外壁１２、屋根１３、床１４等はパネル式となっていて、現地設置でのノックダウンが可能となっている。
【００２４】
前記倉庫スペース１０は、外壁１２、屋根１３、床１４及び床面３によって囲まれた空間であって、概ね１つの空間を指す。
倉庫スペース１０の他に、居住用の空間や事務所用の空間等を設けてもよく、その場合には居住空間等の中に独立する小部屋２を区画可能に構成してもよい。
【００２５】
前記収納スペース１１は、前記床面３、外壁１２又は後述の固定間仕切６及び床１４によって囲まれた空間であって、少なくとも１の空間が形成されている。
【００２６】
前記小部屋２は、前記床面３、スライド板４、固定間仕切６の合計高さが平均的な身長の大人が隠れる程度のものすることができる空間から構成されている。
なお、前記小部屋２は上述のようにトイレブースとなるが、収納スペース１１に収納されているものが耐水性のパレット等であれば、シャワーブースになり、浴槽であれば風呂ブースになり、それぞれ収納スペース１１に収納されているものによって、その用途が決定される。
【００２７】
前記床面３は、図５のように収納スペース１１に収納される収納物に応じて分割され、分割された各床面３ａ〜３ｃはその各一辺３０に沿って複数枚の単位床面３０ａ〜３０ｃに分割されている。
以下では、図１１〜図１７に基づいて、床面３ｂの単位床面３０ａ〜３０ｃの内、中央の単位床面３０ｂを他の単位床面に代表させてその構成例を説明する。
図１１は単位床面３０ｂの正面図、図１２は同平面図、図１３は同側面図であり、図１４は単位床面３０ｃの正面図である。
図１５は単位床面３０ｂに内蔵されているスライド板４の正面図、図１６は同平面図であり、図１７は単位床面３０ｃに内蔵されているスライド板４の正面図である。
【００２８】
前記床面３０ｂは、フレーム３１と、このフレーム３１に固定されたボード３２と、前記フレーム３１の底辺３１ａに取り付けられた丁番３３と、前記フレーム３１の対向する側辺３１ｂ、３１ｂに、その両端がスライド可能に収納されたスライド板４を備えている。
前記フレーム３１の上辺３１ｃには起立保持部としてのスライドボルト３４が取付けられている。図示は省略するが、スライドボルト３４のシャフトの先端が出没する受けが、隣接し、且つ、回転起立される単位床面３０ａのフレーム３１の上辺３１ｃに設けられている。
前記フレーム３１の一方の側辺３１ｂには、後述の巻上機によって、単位床面３０ａを連動させて回転起立させるための床面連動金具３５が設けられている。
また前記フレーム３１の両側辺３１ｂ、３１ｂには、前記スライド板４を保持させるラッチ４０と共に保持部を構成するストッパ３６が形成されている。
なお、単位床面３０ｃは、図１４のように単位床面３０ａ、３０ｂに比べて、幅広に構成されているが、その他の構成は単位床面３０ａ、３０ｂと略同一である。
【００２９】
前記スライド板４は、図１５〜図１７に図示したように、前記ラッチ４０、４０と、隣接するスライド板４、４との間の隙間を隠す目隠部４１と、前記ラッチ４０によって保持されているスライド板４に対し、そのスライド板をさらに保持させる第２の保持部としてストッパ金具４２（図示は省略）が備わっている。
ストッパ金具４２としては、たとえば、前記スライド板４の裏面４３に本体が固定され、その本体から楔状に回動される枝部が前記フレーム３１の上辺３１ｃに当接するようなものでもよい。
なお、単位床面３０ｃに内蔵されているスライド板４は、図１７のように単位床面３０ａ、３０ｂのスライド板４に比べて、幅広に構成されているが、その他の構成は単位床面３０ａ、３０ｂのスライド板４と略同一である。
【００３０】
以上の構成による単位床面３０ｂによれば、図１８のように、＜○１＞  単位床面３０ｂの丁番３３を介しての回転起立動作、＜○２＞  スライドボルト３４のシャフトの受けへの係合動作、＜○３＞  スライド板４の引き上げ動作、＜○４＞  ラッチ４０のストッパ３６に対する係止動作、必要に応じた＜○５＞  スライド板４の裏面４３からのストッパ金具４２による単位床面３０ｂへの係止動作で、小部屋２が形成される。
よって、特別な冶具を用いることなく、また他の構成部材を付加させることなく、迅速、簡単な作業内容となっている。
特に、前記＜○１＞の動作は、前記スライド板４を内蔵した各床面３ａ〜３ｃは単位床面３０ａ〜３０ｃに分割されているので、単位床面３０ａ〜３０ｃが軽量化されることとなり、作業性が向上している。
【００３１】
前記固定間仕切板６は、上述のように収納スペース１１の間仕切りとなるもので、図１９及び図２０の図示の通り、本体６０と、この本体６０を床１４に固定する固定部６１と、前記床面３の端部を支える床面サポート部６２を備え、この床面サポート部６２には前記単位床面３０ｂの底辺３１ａの丁番３３を固定する固定金具６３（図１１参照）を備えている。
【００３２】
以上のように構成された収納箱１について、図２１Ａ及び図２１Ｂに基づいて、通常時の実施態様（図２１Ａ（１）参照）から非常時の実施態様への移行方法を説明する。
【００３３】
まず、床面３ｃの単位床面３０ａを回転起立させ（図２１Ａ（２）参照）、前記スライドボルト３４のシャフトの先端を外壁１２に設けられた受けに係合させて、その起立状態を保持させる。
次に、スライド板４を上方に引き出して、前記単位床面３０ａのストッパ３６に前記ラッチ４０を係止させる（図２１Ａ（３）参照）。
同様に、隣接する単位床面３０ｂを回転起立させ（図２１Ａ（３）参照）、そのスライドボルト３４のシャフトの先端を単位床面３０ａに設けられた受けに係合させて、その起立状態を保持させる。
その後同様にスライド板４の立設、単位床面３０ｃの回転起立、スライド板４の立設を行う（図２１Ａ（４）、（５）参照）。
なお、単位床面３０ｃの場合には、そのスライドボルト３４のシャフトの先端を外壁１２に設けられた受け（図示せず）に係合させて、その起立状態を保持させる。
また、係合をより強固にしたい場合は、単位床面３０ｂと３０ｃにスライドボルト３４と受けを追加して設けることもできる。
以下、同様な手順によって、各床面３ｂ、３ｃから小部屋２を形成することで、図２１Ｂ（７）及び同（８）に示したようなトイレブースが形成される。
必要に応じて、スライド板４の裏面４３からのストッパ金具４２による単位床面への係止動作を加えることができる。
【００３４】
なお、以上の手順では３ヵ所のトイレブースがすべて形成されるようにしたが、需要に応じてその数を調整することができる。
また、前記便器５は便槽と一体のものを収納しておいてもよいが、下水管に隣接して収納箱１を設置できる場合には、便器５からパイプ等を介しての下水管への直流方式でもよい。
【００３５】
以上のような防災用収納箱１の作用効果は、次の通りである。
１．  各単位床面３０ａ〜３０ｃの回転起立と、スライドボルト３４による保持、スライド板４の引き出しとラッチ４０による保持という作業により、簡単、迅速に小部屋２が形成され、その利用の迅速性、簡易性を重視した防災用収納箱を提供することができる。
２．  各床面３ａ〜３ｃが単位床面３０ａ〜３０ｃに分割されているので、各床面３ａ〜３ｃの重量も分散されて、床面３ａ〜３ｃの回転起立の作業が容易となっている。
３．  前記開口部１７は、シャッター１８が備えられていて、倉庫スペース１０への大型の防災機器、防災用品等の搬入、搬出の作業効率を向上させることができる。
４．  収納箱１の収納スペース１１の使用目的、用途を自由に設定でき、倉庫スペース１０が、その目的、用途に応じた小部屋２を備えた空間に可変可能である。
５．  各小部屋２の独立性が高いので、非常時に際してもプライバシーの保護を図ることができる。さらに、プライバシーの保護は、前記目隠部４１、前記ストッパ金具４２によって徹底されている。
６．  起立された床面３の通常状態への復帰は、上記手順を逆行させればよく、再度倉庫スペース１０に容易に可変させることができる。
【００３６】
なお、前記収納スペース１１が広く、その上方の床面３を回転起立させた場合にプライバシーの保護に十分な高さになれば、その床面３のみで前記倉庫スペース１０を間仕切り可能なようにすることもできる。
【００３７】
次に巻上機（ウインチ）１９により床面３ａ〜３ｃを起立可能にする構成例を説明する。
図６等に図示されているように、ウインチ１９は、取付台を介して外壁１２の内面に固定されており、このウインチ１９のワイヤを中継する滑車１９ａが前記内面に取り付けられている。
【００３８】
以上の巻上機（ウインチ）１９が取付けられた収納箱１について、図２２Ａ及び図２２Ｂに基づいて、床面３が敷設された通常時の実施態様（図２２Ａ（１）参照）から非常時の実施形態への移行手順を説明する。
【００３９】
まず、ウインチ１９のワイヤ１９ｂの一端を滑車１９ａを介して床面３ｃの単位床面３０ｃの上部に固定する（図２２Ａ（２）参照）。
ウインチ１９によりワイヤ１９ｂを巻き戻すと、各単位床面３０ｃと３０ｂの一片の側辺３１ｂに設けられた前記連動金具３５が、隣接する各単位床面３０ｂと３０ａの他片の側片３１ｂの下方に位置していることにより、各単位床面３０ａ〜３０ｃが連動されて同時に３枚の単位床面３０ａ〜３０ｃが回転起立される。
なお、連動金具３５は単位床面３０ｃと３０ｂの片側（扉１５側）のみに設けてあるので、手動で単位床面３０ａ〜３０ｃを回転起立させる場合は連動しない。
この状態で各スライドボルト３４を各受けに係合させて、その起立状態を保持させる（図２２Ａ（２）、同図（３）参照）。
その後、ワイヤ１９ｂを解いて、順次、各スライド板４を上方に引き出して、各ストッパ３６に前記ラッチ４０を係止させる（図２２Ａ（４）〜同図（６）参照）。
上記と同様な手順によって、各床面３ｂ、３ｃから小部屋２を形成する（図２２Ｃ（７）〜同図（８）参照）。
なお、必要に応じて、スライド板４の裏面４３からのストッパ金具４２による単位床面への係止動作を加えることができる。
その結果、図２２Ｃ（９）に示したようなトイレブースが形成される。
【００４０】
以上の収納箱１によれば、上記作用効果に加えて、最小単位の作業員、例えば一人によっても、簡単、迅速に小部屋２を形成することができる。
【００４１】
上記構成の収納箱１は、収納スペース１１に便器５を設置していたが、図２３〜図２４に示した収納箱１Ａのように、収納スペース１１を一部省いて、そこに車椅子対応のトイレ５０を設置してもよい。
この場合に、前記開口部１７に隣接する場所に車椅子対応のトイレ５０を設置することで、スロープ５１の設置等も容易となる。
その他の収納箱１Ａの構成は、収納箱１と同様であり、同一の作用効果を奏する。
【図面の簡単な説明】
【００４２】
【図１】実施形態に係る防災用収納箱の外観正面図、
【図２】同背面図、
【図３】同左側面図、
【図４】同右側面図、
【図５】実施形態に係る防災用収納箱の通常時の水平断面図、
【図６】同正面から見た縦断面図、
【図７】同側面から見た縦断面図、
【図８】実施形態に係る防災用収納箱の非常時の水平断面図、
【図９】同正面から見た縦断面図、
【図１０】同側面から見た縦断面図、
【図１１】単位床面の正面図、
【図１２】同平面図、
【図１３】同側面図、
【図１４】単位床面の正面図、
【図１５】スライド板の正面図、
【図１６】同平面図、
【図１７】スライド板の正面図、
【図１８】単位床面の動作説明図、
【図１９】固定間仕切板の正面図、
【図２０】同側面図、
【図２１Ａ】通常時から非常時への移行手順説明図、
【図２１Ｂ】通常時から非常時への移行手順説明図、
【図２２Ａ】通常時から非常時への移行手順説明図、
【図２２Ｂ】通常時から非常時への移行手順説明図、
【図２２Ｃ】通常時から非常時への移行手順説明図、
【図２３】他の実施形態に係る防災用収納箱の外観正面図、
【図２４】同正面視断面図、
【図２５】同平面視断面図である。
【符号の説明】
【００４３】
１  防災用収納箱
１０  倉庫スペース
１１  収納スペース
１２  外壁
１３  屋根
１４  床
１５  ドア
１６  換気扇
１７  開口部
１８  シャッター
１９  ウインチ
２  小部屋
３  ３ａ  ３ｂ  ３ｃ  床面
３０ａ  ３０ｂ  ３０ｃ  単位床面
３０  床面の一辺
３１  フレーム
３１ａ  底辺
３１ｂ  側辺
３１ｃ  上辺
３２  ボード
３３  丁番
３４  スライドボルト
３５  連動金具
３６  ストッパ
４  スライド板
４０  ラッチ
４１  目隠部
４２  ストッパ金具
４３  裏面
５  ５０  便器
６  固定間仕切板
【図１】
2010112018.tif 000003
【図２】
2010112018.tif 000004
【図３】
2010112018.tif 000005
【図４】
2010112018.tif 000006
【図５】
2010112018.tif 000007
【図６】
2010112018.tif 000008
【図７】
2010112018.tif 000009
【図８】
2010112018.tif 000010
【図９】
2010112018.tif 000011
【図１０】
2010112018.tif 000012
【図１１】
2010112018.tif 000013
【図１２】
2010112018.tif 000014
【図１３】
2010112018.tif 000015
【図１４】
2010112018.tif 000016
【図１５】
2010112018.tif 000017
【図１６】
2010112018.tif 000018
【図１７】
2010112018.tif 000019
【図１８】
2010112018.tif 000020
【図１９】
2010112018.tif 000021
【図２０】
2010112018.tif 000022
【図２１Ａ】
2010112018.tif 000023
【図２１Ｂ】
2010112018.tif 000024
【図２２Ａ】
2010112018.tif 000025
【図２２Ｂ】
2010112018.tif 000026
【図２２Ｃ】
2010112018.tif 000027
【図２３】
2010112018.tif 000028
【図２４】
2010112018.tif 000029
【図２５】
2010112018.tif 000030